(57)【要約】【課題】ＣＡＴＶ放送信号または地上波ＴＶ放送信号の受信時に、ＲＦ信号の歪みまたは受信性能の劣化を防ぐ。【解決手段】チューナ部１は、多チャンネルのＲＦ信号を入力するＲＦ信号入力端子２と、ＲＦ信号入力端子２の後段に配置された、第１の利得制御信号により利得を固定あるいは制御するＡＧＣ回路４と、ＡＧＣ回路４の後段に配置された広帯域増幅回路５と、広帯域増幅回路５の後段に配置された、第２の利得制御信号により利得を固定あるいは制御するＡＧＣ回路６と、ＡＧＣ回路６から出力された信号から希望するチャンネルの信号を選択して取り出すミキサ回路７と、ＡＧＣ回路４の利得を固定するかあるいは制御するかを選択し、同時にＡＧＣ回路６の利得を固定するかあるいは制御するかを選択することにより、ＡＧＣ回路４及びＡＧＣ回路６を制御するＡＧＣ切り替え回路１５とを備える。【選択図】図１
2009027463.tif 000002
【特許請求の範囲】
【請求項１】
多チャンネルのＲＦ信号を入力するＲＦ信号入力端子と、
前記ＲＦ信号入力端子の後段に配置された、第１の利得制御信号により利得を固定あるいは制御する第１の利得制御手段と、
前記第１の利得制御手段の後段に配置されたＲＦ信号増幅器と、
前記ＲＦ信号増幅器の後段に配置された、第２の利得制御信号により利得を固定あるいは制御する第２の利得制御手段と、
前記第２の利得制御手段から出力された信号から希望するチャンネルの信号を選択して取り出す選局回路と、
前記第１の利得制御手段の利得を固定するかあるいは制御するかを選択し、同時に前記第２の利得制御手段の利得を固定するかあるいは制御するかを選択することにより、前記第１の利得制御手段及び第２の利得制御手段の利得を制御する制御手段とを備えることを特徴とする地上波ＴＶ及びＣＡＴＶ共用受信機。
【請求項２】
前記第１の利得制御手段と前記第２の利得制御手段の内のいずれか一方の利得制御手段の利得を固定し、もう一方の利得制御手段の利得を制御することを特徴とする請求項１に記載の地上波ＴＶ及びＣＡＴＶ共用受信機。
【請求項３】
前記多チャンネルのＲＦ信号がケーブルにて送信されるＣＡＴＶ放送信号と、前記多チャンネルのＲＦ信号が電波にて送信される地上波ＴＶ放送信号の２種類の放送信号を受信することを特徴とする請求項２に記載の地上波ＴＶ及びＣＡＴＶ共用受信機。
【請求項４】
前記ＣＡＴＶ放送信号を受信する場合、前記第２の利得制御手段の利得を固定とし、前記第１の利得制御手段の利得を制御することを特徴とする請求項３に記載の地上波ＴＶ及びＣＡＴＶ共用受信機。
【請求項５】
前記地上波ＴＶ放送信号を受信する場合、前記第１の利得制御手段の利得を固定とし、前記第２の利得制御手段の利得を制御することを特徴とする請求項３に記載の地上波ＴＶ及びＣＡＴＶ共用受信機。
【請求項６】
固定された前記第１の利得制御手段の利得または固定された前記第２の利得制御手段の利得は、入力される信号の減衰量が最小となる利得である最大利得であることを特徴とする請求項４または５に記載の地上波ＴＶ及びＣＡＴＶ共用受信機。
【請求項７】
前記選局回路による前記希望するチャンネルの信号の選択及び取り出しはデジタルデータを用いて行われ、前記デジタルデータを伝送する制御バスラインを設けた地上波ＴＶ及びＣＡＴＶ共用受信機において、
前記第１の利得制御手段の利得を固定させるかあるいは変化させるかを選択し、同時に前記第２の利得制御手段の利得を固定させるかあるいは変化させるかを選択することを、前記制御バスラインを介して伝送されるデジタルデータにて制御することを特徴とする請求項４〜６のいずれか１項に記載の地上波ＴＶ及びＣＡＴＶ共用受信機。
【請求項８】
前記伝送されるデジタルデータは、第１の利得制御手段の利得を第１の固定利得に固定させるデジタルデータと、第２の利得制御手段の利得を第２の固定利得に固定させるデジタルデータとを含むことを特徴とする請求項７に記載の地上波ＴＶ及びＣＡＴＶ共用受信機。
【請求項９】
前記第１の利得制御手段は、順方向の電流を可変することにより高周波抵抗が変化する特性を有する第１〜第３のＰＩＮダイオードと、前記第１の利得制御信号が入力されることにより前記第１〜第３のＰＩＮダイオードに流す電流を制御する第１の電流制御端子とを有し、前記第１の利得制御信号である、前記第１の電流制御端子に印加する電圧を変化させることにより、直列に接続された第１〜第３のＰＩＮダイオードの高周波抵抗を変化させ、利得を変化させるＰＩＮアッテネータ回路で構成されることを特徴とする請求項１〜８のいずれか１項に記載の地上波ＴＶ及びＣＡＴＶ共用受信機。
【請求項１０】
前記第２の利得制御手段は、デュアルゲートＦＥＴと第２の電流制御端子とを備え、前記デュアルゲートＦＥＴの第１のゲートは抵抗を介して接地され、前記第２の電流制御端子から抵抗を介して前記デュアルゲートＦＥＴの第２のゲートに入力する前記第２の利得制御信号である制御信号電圧の制御にて利得を変化させるデュアルゲートＦＥＴ回路で構成されることを特徴とする請求項１〜８のいずれか１項に記載の地上波ＴＶ及びＣＡＴＶ共用受信機。
【発明の詳細な説明】
【技術分野】
【０００１】
本発明は、地上波ＴＶ及びＣＡＴＶ共用受信機に関するものである。
【背景技術】
【０００２】
現在、放送のデジタル化が進行し、地上波ＴＶ放送やＣＡＴＶ放送等の複数の放送信号を1台で受信できる受信機の需要が増えてきている。
【０００３】
これら放送信号は、空中伝播やケーブル伝送など送信媒体が異なるため、また、放送形態によってチャンネル数や信号強度など送信条件が異なるため、この放送信号を受信する受信機にも求められる性能が異なってくる。
【０００４】
例えばＣＡＴＶ放送では、米国の仕様で５４ＭＨｚ〜８６４ＭＨｚの周波数帯域であるＲＦ信号伝送帯域において１３４チャンネルもの多チャンネルの放送信号が、−６４ｄＢｍ〜−３４ｄＢｍのほぼ均一である信号強度で伝送され、信号レンジは、３０ｄＢである。従って、ＣＡＴＶ放送信号を受信する受信機には、多チャンネル受信に対応するために、歪みが小さいこと、即ち優れた歪み特性や、優れたインピーダンス整合性等の性能が要求されている。
【０００５】
これに対して地上波ＴＶ放送では，米国の仕様で５４ＭＨｚ〜８０６ＭＨｚの周波数帯域であるＲＦ信号伝送帯域において６８チャンネルの放送信号となる。地上波ＴＶ放送のチャンネル数は、ＣＡＴＶ放送の約半分となるが、伝送される信号強度が約−８０ｄＢｍ〜約−２０ｄＢｍとなるので、信号レンジは６０ｄＢとなり、ＣＡＴＶの２倍になる。従って、地上波ＴＶ放送信号を受信する受信機には、低雑音性能や広いダイナミックレンジ性能が求められる。これらの性能は、受信機が備えるチューナ部の性能にてほぼ決まる。前記チューナ部は、多数の放送チャンネルのうち希望するチャンネルを選択して取り出すものである。
【０００６】
次にＣＡＴＶ受信に求められる低歪み特性について説明する。
【０００７】
チューナ部に用いられる増幅回路やミキサ回路は、非線形素子が用いられるため振幅歪が発生し、相互変調妨害や高調波妨害の要因となる。特に相互変調妨害は、多くの信号が入力される場合、広帯域増幅器や広帯域ミキサ回路において大きな問題になることが多い。例として５４ＭＨｚから８６４ＭＨｚまでの放送信号受信帯域を有するＣＡＴＶ放送の場合を考える。
【０００８】
例えば、放送信号受信帯域内に周波数が１００ＭＨｚ及び１５０ＭＨｚである２つの放送信号が存在する場合には、
１００［ＭＨｚ］＋１５０［ＭＨｚ］＝２５０［ＭＨｚ］
２×１００［ＭＨｚ］＋１５０［ＭＨｚ］＝３５０［ＭＨｚ］
２×１５０［ＭＨｚ］−１００［ＭＨｚ］＝２００［ＭＨｚ］
等の多くの相互変調歪みが発生する。これらの相互変調歪みは、信号数が増えればより多く発生する。また、信号数が増えることにより、同じ周波数に発生して重なる２つ以上の相互変調歪みの数がより多くなる。この２つ以上の相互変調歪みは、その発生の元となる放送信号の周波数と放送信号の高調波の周波数との組み合わせがそれぞれ異なっている。このようにして生じた相互変調歪みにより、相互変調歪みと同じ周波数の放送信号の受信が妨害される。
【０００９】
また、図８は、ある増幅回路の入力信号レベル対出力信号レベルの特性の例を表したグラフである。この図からわかるように、２次相互変調歪みは、入力信号レベルが高いほど大きくなることがわかる。なお、２次相互変調歪みの周波数は、増幅回路に入力される２つの放送信号の周波数の和あるいは差の周波数である。
【００１０】
次に、受信機の受信感度などの受信特性に影響する雑音指数について説明する。
【００１１】
ある回路ブロックが縦続接続された例において、最初のブロックの利得をＧ１、雑音指数をＮＦ１、またその後に接続されたブロックの利得をＧ２、雑音指数をＮＦ２とすると、トータルの雑音指数ＮＦtotalは下式にて表される。
ＮＦtotal=ＮＦ１＋（ＮＦ２−１）／Ｇ１
上式からわかるように、初段の雑音指数（ＮＦ１）の値が小さく、また初段の利得（Ｇ１）が大きいほうがトータルの雑音指数ＮＦtotalは小さくなる。トータルの雑音指数ＮＦtotalが小さい方が受信機の雑音特性は良くなる。
【００１２】
以上の説明からわかるように、歪み特性を良くするためには入力信号レベルを下げた方が良い。また、雑音特性を良くするためには、初段のチューナの雑音指数をできるだけ小さくし、かつ利得をできるだけ高くする必要がある。
【００１３】
次に図９に示す従来の一般的な地上波ＴＶ放送受信用チューナ１０１の動作を説明する。
【００１４】
ＲＦ信号入力端子１０２に入力された多数のチャンネル信号は、受信帯域近辺のチャンネル信号を通過させるバンドパスフィルタ１０３を通り、帯域外信号を除去された後、ＡＧＣ回路１０４に入力される。ＡＧＣはＡｕｔｏ  Ｇａｉｎ  Ｃｏｎｔｒｏｌの略であり、自動利得制御を表す。ＡＧＣ回路１０４は、ＡＧＣ制御信号入力端子１０５から入力されるＡＧＣ制御信号に基づき、入力されるチャンネル信号レベルの大小に関わらず常に一定のチューナ出力レベルが得られるように利得制御を行い、その後、再度バンドパスフィルタ１０６で帯域外信号を除去した後、後段のミキサ回路１０７に入力される。ミキサ回路１０７に入力された信号は、局部発振回路１０８にて発生された、受信周波数に応じた局部発振信号とミキシングされて周波数がＩＦ周波数であるＩＦ信号に周波数変換される。ＩＦ信号に変換された信号は、バンドパスフィルタ１０９およびＩＦ増幅回路１１０を介してチューナ出力端子１１１より出力される。一般に局部発振回路１０８の発振周波数制御にはデジタル制御が容易で周波数安定性の高いＰＬＬ回路１１２から構成される周波数シンセサイザが用いられることが多い。ＰＬＬ回路１１２が発振周波数制御のために用いる周波数設定データは、データバス１１３を介してマイクロコンピュータ１１４より伝送される。
【００１５】
またＣＡＴＶ放送受信用チューナにおいては、一般に、優れたインピーダンス整合性を有し、かつ歪み特性の優れたＰＩＮアッテネータ回路をＡＧＣ回路として用い、その後段に、広帯域に渡って平坦な周波数特性をもつ広帯域増幅回路であるＲＦ信号増幅回路を配置する構成がとられる。
【００１６】
次に、図１０に、ＣＡＴＶ放送受信機能を有し、かつ更なる低雑音性能が要求される、従来の地上波デジタルＴＶ放送受信用チューナ１１５を示す。地上波デジタルＴＶ放送受信用チューナ１１５においては、まず、ＰＩＮアッテネータ回路により構成されるＡＧＣ回路１１６が配置され、その後段に、広帯域増幅回路であるＲＦ信号増幅回路１１７及びＡＧＣ回路１１８が配置にされる。その他の構成は、図９に示す地上波ＴＶ放送受信用チューナ１０１と同一である。この場合、ＲＦ信号は、ＰＩＮアッテネータ回路により構成されるＡＧＣ回路１１６とＡＧＣ回路１１８とによる２つのＡＧＣ回路により利得制御される。従来技術では、この２つのＡＧＣ回路は、ＡＧＣ制御信号入力端子１１９から入力される同一のＡＧＣ制御信号に基づき同時に制御されていた。
【００１７】
図１１は、従来の受信機によるＣＡＴＶ放送受信時の相互変調妨害特性を示した周波数スペクトラムである。４４．５ＭＨｚの周波数帯域に大きな相互変調妨害成分が存在することが分かる。
【００１８】
例えば、特許文献１では、受信チャンネル以外のチャンネルでもケ−ブルのインピ−ダンスと整合し、また、アンテナ入力端子からの局部発振信号の漏洩が少なく、さらに、ＮＦを良好にするテレビジョン信号受信用チューナが開示されている。また、特許文献２では、受信チャンネルや受信電波事情に左右されず、安定した良好な受信品位を得ることができる自動利得制御回路及び自動利得制御回路を有する受信機が開示されている。
【特許文献１】特開平１０−２７６１０９号公報（平成１０年１０月１３日公開）
【特許文献２】特開２００１−１０２９４７号公報（平成１３年４月１３日公開）
【発明の開示】
【発明が解決しようとする課題】
【００１９】
図１０に示す従来の地上波デジタルＴＶ放送受信用チューナ１１５においては、次のような問題点があった。
【００２０】
図１０の地上波デジタルＴＶ放送受信用チューナ１１５においては、２つのＡＧＣ回路は常に同時に動作するため、この２つのＡＧＣ回路で減衰されるＲＦ信号のトータルの減衰量は、ＲＦ信号増幅回路１１７の前段のＡＧＣ回路１１６による減衰量とＲＦ信号増幅回路の後段のＡＧＣ回路１１８による減衰量とに振り分けられる。これにより、優れた歪み特性が必要なＣＡＴＶ放送を受信する場合、ＲＦ信号増幅回路１１７の前段のＡＧＣ回路１１６による信号減衰が不十分となり、増幅されたＲＦ信号が歪むという問題点がある。
【００２１】
また、地上波ＴＶ放送の受信においては、入力信号レベルの低い場合にもＲＦ信号増幅回路１１７の前段のＡＧＣ回路１１６が動作し、チューナ１１５のトータルの雑音指数ＮＦtotalが大きくなるため、チューナの受信性能が劣化するという問題がある。
【００２２】
本発明は、前記従来の問題点に鑑みなされたものであり、その目的は、ＣＡＴＶ放送信号または地上波ＴＶ放送信号の受信時に、ＲＦ信号の歪みまたは受信性能の劣化が起こらない地上波ＴＶ及びＣＡＴＶ共用受信機を提供することである。
【課題を解決するための手段】
【００２３】
本発明の地上波ＴＶ及びＣＡＴＶ共用受信機は、多チャンネルのＲＦ信号を入力するＲＦ信号入力端子と、前記ＲＦ信号入力端子の後段に配置された、第１の利得制御信号により利得を固定あるいは制御する第１の利得制御手段と、前記第１の利得制御手段の後段に配置されたＲＦ信号増幅器と、前記ＲＦ信号増幅器の後段に配置された、第２の利得制御信号により利得を固定あるいは制御する第２の利得制御手段と、前記第２の利得制御手段から出力された信号から希望するチャンネルの信号を選択して取り出す選局回路と、前記第１の利得制御手段の利得を固定するかあるいは制御するかを選択し、同時に前記第２の利得制御手段の利得を固定するかあるいは制御するかを選択することにより、前記第１の利得制御手段及び第２の利得制御手段の利得を制御する制御手段とを備えることを特徴とする。
【００２４】
前記発明によれば、受信信号がＣＡＴＶ放送の場合と地上波ＴＶ放送の場合とで、ＲＦ信号増幅器前段の第１の利得制御手段とＲＦ信号増幅器後段の第２の利得制御手段とのいずれか一方の利得制御手段を固定利得状態に固定し、もう一方の利得制御手段にて利得制御を行う構成としている。
【００２５】
このような構成にすると、ＣＡＴＶ放送受信においては優れた歪み特性を有し、地上波ＴＶ放送受信時においては低雑音特性を有する、ノイズやビートの少ない良好な受信性能を持つ、優れた地上波ＴＶ及びＣＡＴＶ共用受信機が実現できる。
【００２６】
前記地上波ＴＶ及びＣＡＴＶ共用受信機では、前記第１の利得制御手段と前記第２の利得制御手段の内のいずれか一方の利得制御手段の利得を固定し、もう一方の利得制御手段の利得を制御してもよい。
【００２７】
これにより、地上波ＴＶ放送受信時は前記第１の利得制御手段の利得を固定し、前記第２の利得制御手段の利得を制御することにより、地上波ＴＶ及びＣＡＴＶ共用受信機全体としての雑音指数を低下できるので、雑音特性を良くすることが出来る。また、ＣＡＴＶ放送受信時は前記第２の利得制御手段の利得を固定し、前記第１の利得制御手段の利得を制御することにより、前記ＲＦ信号増幅器の出力信号が歪む事を防ぐので、歪み特性を良くすることが出来る。
【００２８】
前記地上波ＴＶ及びＣＡＴＶ共用受信機では、前記多チャンネルのＲＦ信号がケーブルにて送信されるＣＡＴＶ放送信号と、前記多チャンネルのＲＦ信号が電波にて送信される地上波ＴＶ放送信号の２種類の放送信号を受信してもよい。
【００２９】
これにより、１台の受信機でＣＡＴＶ放送信号及び地上波ＴＶ放送信号の両方が受信可能となる。
【００３０】
前記地上波ＴＶ及びＣＡＴＶ共用受信機では、前記ＣＡＴＶ放送信号を受信する場合、前記第２の利得制御手段の利得を固定とし、前記第１の利得制御手段の利得を制御してもよい。
【００３１】
これにより、前記ＲＦ信号増幅器の出力信号が歪みを小さくし、歪み特性を良くすることが出来る。
【００３２】
前記地上波ＴＶ及びＣＡＴＶ共用受信機では、前記地上波ＴＶ放送信号を受信する場合、前記第１の利得制御手段の利得を固定とし、前記第２の利得制御手段の利得を制御してもよい。
【００３３】
これにより、地上波ＴＶ及びＣＡＴＶ共用受信機全体としての雑音指数を低下できるので、雑音特性を良くすることが出来る。
【００３４】
前記地上波ＴＶ及びＣＡＴＶ共用受信機では、固定された第１の利得制御手段の利得または固定された第２の利得制御手段の利得は、入力される信号の減衰量が最小となる利得である最大利得であってもよい。
【００３５】
これにより、信号の減衰を極力防ぐことが出来るので、雑音の影響を最小限に抑えることが出来る。
【００３６】
前記地上波ＴＶ及びＣＡＴＶ共用受信機では、前記選局回路による前記希望するチャンネルの信号の選択及び取り出しはデジタルデータを用いて行われ、前記デジタルデータを伝送する制御バスラインを設けた地上波ＴＶ及びＣＡＴＶ共用受信機において、前記第１の利得制御手段の利得を固定させるかあるいは変化させるかを選択し、同時に前記第２の利得制御手段の利得を固定させるかあるいは変化させるかを選択することを、前記制御バスラインを介して伝送されるデジタルデータにて制御してもよい。
【００３７】
これにより、機械的なスイッチを設ける必要がなくなり、前記第１及び第２の利得制御手段を電気的に制御することが出来る。
【００３８】
前記地上波ＴＶ及びＣＡＴＶ共用受信機では、前記伝送されるデジタルデータは、第１の利得制御手段の利得を第１の固定利得に固定させるデジタルデータと、第２の利得制御手段の利得を第２の固定利得に固定させるデジタルデータとを含んでもよい。
【００３９】
これにより、前記第１の利得制御手段と前記第２の利得制御手段との利得を制御するデジタルデータが等しく、前記第２の利得制御手段の利得が高すぎることにより、前記地上波ＴＶ及びＣＡＴＶ共用受信機全体の利得が高すぎて増幅信号に歪みが生じる場合に、前記第１の利得制御手段と前記第２の利得制御手段との利得を異なる固定利得に固定させ、前記第２の利得制御手段の利得を、第１の固定利得より低い第２の固定利得に固定させることにより、増幅信号の歪みを小さく出来る。
【００４０】
前記地上波ＴＶ及びＣＡＴＶ共用受信機では、前記第１の利得制御手段は、順方向の電流を可変することにより高周波抵抗が変化する特性を有する第１〜第３のＰＩＮダイオードと、前記第１の利得制御信号が入力されることにより前記第１〜第３のＰＩＮダイオードに流す電流を制御する第１の電流制御端子とを有し、前記第１の利得制御信号である、前記第１の電流制御端子に印加する電圧を変化させることにより、直列に接続された第１〜第３のＰＩＮダイオードの高周波抵抗を変化させ、利得を変化させるＰＩＮアッテネータ回路で構成されてもよい。
【００４１】
これにより、前記第１の利得制御手段は、前記電流制御端子に印加する電圧が、信号の減衰量が最小となるような電圧である時に前記第１の利得制御手段の利得が最大となり、前記電流制御端子に印加する電圧を下げるときに利得が低下するような特性が得られる。
【００４２】
前記地上波ＴＶ及びＣＡＴＶ共用受信機では、前記第２の利得制御手段は、デュアルゲートＦＥＴと第２の電流制御端子とを備え、前記デュアルゲートＦＥＴの第１のゲートは抵抗を介して接地され、前記第２の電流制御端子から抵抗を介して前記デュアルゲートＦＥＴの第２のゲートに入力する前記第２の利得制御信号である制御信号電圧の制御にて利得を変化させるデュアルゲートＦＥＴ回路で構成されてもよい。
【００４３】
これにより、前記第２の利得制御手段は、前記電流制御端子に印加する電圧を増加させると利得は上がり、逆に前記電流制御端子に印加する電圧を下げると利得が下がる特性が得られる。
【発明の効果】
【００４４】
本発明の地上波ＴＶ及びＣＡＴＶ共用受信機は、以上のように多チャンネルのＲＦ信号を入力するＲＦ信号入力端子と、前記ＲＦ信号入力端子の後段に配置された、第１の利得制御信号により利得を変化させる第１の利得制御手段と、前記第１の利得制御手段の後段に配置されたＲＦ信号増幅器と、前記ＲＦ信号増幅器の後段に配置された、第２の利得制御信号により利得を変化させる第２の利得制御手段と、前記第２の利得制御手段から出力された信号から希望する信号を選択して取り出す選局回路と、前記第１の利得制御手段及び第２の利得制御手段の利得を、利得固定あるいは利得制御動作に選択制御する制御手段を備えているものである。
【００４５】
それゆえ、ＣＡＴＶ放送信号または地上波ＴＶ放送信号の受信時に、ＲＦ信号の歪みまたは受信性能の劣化が起こらない地上波ＴＶ及びＣＡＴＶ共用受信機を提供するという効果を奏する。
【発明を実施するための最良の形態】
【００４６】
本発明の一実施形態について図１〜図７に基づいて説明すれば、以下の通りである。
【００４７】
図１に本発明による広帯域多チャンネル信号受信機におけるチューナ部１を示す。チューナ部１は、ＲＦ信号入力端子２、バンドパスフィルタ３、ＡＧＣ回路４、広帯域増幅回路５、ＡＧＣ回路６、ミキサ回路７、バンドパスフィルタ８、増幅器９、チューナ出力端子１０、ＡＧＣ検波回路１１、局部発振回路１２、ＰＬＬ回路１３、マイクロコンピュータ１４、ＡＧＣ切り替え回路１５、利得固定信号生成回路１６、デコーダ１７及びデータバス１８を備えている。ＡＧＣ切り替え回路１５は、切り替えスイッチＳＷ０及び切り替えスイッチＳＷ１を有している。
【００４８】
ＲＦ信号入力端子２に入力された多チャンネルのＲＦ信号は、バンドパスフィルタ３、ＡＧＣ回路４を介して広帯域増幅回路５に入力されて更にＡＧＣ回路６を通って、ミキサ回路７に入力される。ミキサ回路７では局部発振回路１２にて発振された信号と混合されＩＦ周波数に周波数変換される、即ちＡＧＣ回路６から出力された信号から希望する信号を選択して取り出す。
【００４９】
周波数変換された信号は、バンドパスフィルタ８と増幅器９を介してチューナ出力端子１０より出力されるとともに、その信号レベルの大きさを判断し、そのレベルが適切な信号レベルになるよう利得制御するための信号、即ち利得制御信号を生成するＡＧＣ検波回路１１に伝送される。
【００５０】
ＡＧＣ検波回路１１から出力された利得制御信号は、ＡＧＣ切り替え回路１５に伝送される。ＡＧＣ切り替え回路１５は、利得固定信号生成回路１６により生成された利得固定信号をＡＧＣ回路４に伝送し、ＡＧＣ検波回路１１から出力された利得制御信号をＡＧＣ回路６に伝送するか、あるいは前記利得固定信号をＡＧＣ回路６に伝送し、ＡＧＣ検波回路１１から出力された利得制御信号をＡＧＣ回路４に伝送するかを切り替える機能を有している。前記利得固定信号は、ＡＧＣ回路４またはＡＧＣ回路６の利得を予め設定された固定利得に設定する信号である、また、局部発振回路１２から発振される信号の周波数は、ＰＬＬ回路１３にて制御され、その周波数設定データは、データバス１８を介してマイクロコンピュータ１４より伝送される。ＡＧＣ切り替え回路１５からＡＧＣ回路４に伝送される信号は第１の利得制御信号であり、前記利得固定信号あるいは前記利得制御信号のいずれか一方が用いられる。同様に、ＡＧＣ切り替え回路１５からＡＧＣ回路６に伝送される信号は第２の利得制御信号であり、前記利得固定信号あるいは前記利得制御信号のいずれか一方が用いられる。
【００５１】
データバス１８を介してマイクロコンピュータ１４から伝送されるデータは、図２のデータ例に示すように、ＰＬＬ周波数設定データＤ０〜Ｄｎとスイッチ切り替え制御データＳＷ０及びＳＷ１とが合成されたデータとして出力される。この合成データは、データバス１８の１系統のバスラインを介してデコーダ１７に入力される。この合成データは、デコーダ１７にてＰＬＬ周波数設定データＤ０〜Ｄｎとスイッチ切り替え制御データＳＷ０及びＳＷ１とに分離される。ＰＬＬ周波数設定データＤ０〜Ｄｎは、ＰＬＬ回路１３に伝送され、ＰＬＬ回路１３は、局部発振回路１２が発振する信号の周波数の設定を行う。また、スイッチ切り替え制御データＳＷ０及びＳＷ１は、ＡＧＣ切り替え回路１５に伝送され、切り替えスイッチＳＷ０あるいはＳＷ１の切り替えを制御するためのデータとして用いられる。
【００５２】
今、仮にスイッチ切り替え制御データＳＷ０及びＳＷ１を図３に示すように２ｂｉｔのデータとし、データ“０”の時にＡＧＣ回路の利得は固定となり、また、データ“１”の時にＡＧＣ回路はＡＧＣ動作すると仮定する。
【００５３】
ここで地上波ＴＶ放送を受信したい場合は、雑音特性をできるだけ良くするため、広帯域多チャンネル信号受信機のチューナ部１の初段、即ち広帯域増幅回路５の前段に位置するＡＧＣ回路４の利得をできるだけ上げる、即ち入力される信号の減衰量をできるだけ少なくする必要がある。従って、ＡＧＣ回路４は、入力される信号の減衰量が最小となる利得、即ち最大利得に固定した方がよい。このためスイッチ切り替え制御データＳＷ１のデータを“０”としてＡＧＣ回路４を最大利得に固定する。そして、チューナ部１に入力されるＲＦ信号のＡＧＣは、ＡＧＣ回路６のみで制御するため、スイッチ切り替え制御データＳＷ０のデータを“１”としてＡＧＣ動作させる。
【００５４】
次にＣＡＴＶ放送を受信したい場合は、歪み特性を良くするために、広帯域増幅回路５に入力されるＲＦ信号のレベルを適切なレベルまで下げる必要がある。そこでスイッチ切り替え制御データＳＷ１のデータを“１”として、広帯域増幅回路５の前段に位置するＡＧＣ回路４の利得制御を行う。これにより、広帯域増幅回路５に入力されるＲＦ信号のレベルを十分下げ、広帯域増幅回路５から出力される増幅信号に歪みが発生しないようにする。一方、ＡＧＣ回路６が固定利得になるように、スイッチ切り替え制御データＳＷ０のデータを“０”とする。
【００５５】
ここでＡＧＣ回路６の固定利得、即ちスイッチ切り替え制御データＳＷ０を“０”にすることにより固定されるＡＧＣ回路６の利得は、一般的に最大利得の方が雑音に有利であり設定も行いやすいが、必ずしも最大利得にする必要はなく、システム的に最適な利得とすることができる。また本例ではＡＧＣ回路４及びＡＧＣ回路６の利得が、１つのデータ“０”にて固定利得に制御する例を示しているが、それぞれ別々のデータにより固定利得に制御することもできる。
【００５６】
例えば、スイッチ切り替え制御データＳＷ０あるいはＳＷ１が“０”である場合に第１の固定利得に制御され、“１”である場合に第２の固定利得に制御され、“２”である場合にＡＧＣ動作をするとする。
【００５７】
スイッチ切り替え制御データＳＷ０及びＳＷ１を共に“０”にして、後述するＰＩＮアッテネータ回路１９を使用したＡＧＣ回路４とＡＧＣ回路６との利得制御電圧を共に４Ｖとすることにより、ＡＧＣ回路４及びＡＧＣ回路６を第１の固定利得に制御する。これによりＡＧＣ回路４によるロスを最小とし、ＡＧＣ回路６を最大利得３０ｄＢとすると、バンドパスフィルタ３によるロスが無い場合はミキサ回路７までの利得が３０ｄＢと高くなりすぎて、ＡＧＣ回路６から出力される増幅信号に歪みが生じる場合がある。
【００５８】
そこでスイッチ切り替え制御データＳＷ０を“０”に、スイッチ切り替え制御データＳＷ１を“１”として、ＡＧＣ回路４の制御電圧を４Ｖ、ＡＧＣ回路６の制御電圧を２Ｖとすることにより、ＡＧＣ回路４を第１の固定利得に制御し、ＡＧＣ回路６を第２の固定利得に制御する。これにより、ＡＧＣ回路６の利得を２０ｄＢとすると、上記増幅信号の歪みを小さくすることが出来る。
【００５９】
また２ｂｉｔのスイッチ切り替え制御データＳＷ０及びＳＷ１の内、たとえば“００”を設定すれば、ＡＧＣ回路４及びＡＧＣ回路６の両方が固定利得となり、チューナ性能を測定する時等のテストモードとして利用できる。また、“１１”とすれば、従来と同様にＡＧＣ回路４及びＡＧＣ回路６の両方に同時にＡＧＣ動作をさせることも出来る。
【００６０】
また、本例ではスイッチ切り替え制御データＳＷ０及びＳＷ１を図３に示すように２ｂｉｔのデータとしているが、テストモードや従来のＡＧＣ動作が不要な場合は、１ｂｉｔのデータでもスイッチ切り替え制御が可能である。
【００６１】
図４に本実施形態において図１のＡＧＣ回路４に用いられるＰＩＮアッテネータ回路１９の回路図を示す。バンドパスフィルタ３からＰＩＮアッテネータ回路１９のＡＧＣ回路入力端子２２に入力された信号は、ＰＩＮアッテネータ回路１９のＡＧＣ回路出力端子２３から広帯域増幅回路５に出力される。図４のダイオードＤ１〜ダイオードＤ３は、図５に示すように順方向電流Ｉｆを変えることにより高周波抵抗ｒｄを可変できるＰＩＮダイオードである。
【００６２】
ＰＩＮアッテネータ回路１９では、コンデンサＣ１の一端はＡＧＣ回路入力端子２２に接続され、コンデンサＣ１の他端はダイオードＤ１のアノードに接続されている。コンデンサＣ２の一端はダイオードＤ１のアノードに接続され、コンデンサＣ２の他端はダイオードＤ２のアノードに接続されている。コンデンサＣ３の一端はダイオードＤ２のカソードに接続され、コンデンサＣ３の他端はＧＮＤに接続されている。そして、コンデンサＣ４の一端はダイオードＤ１のカソードに接続され、コンデンサＣ４の他端はＡＧＣ回路出力端子２３に接続されている。
【００６３】
ＰＩＮアッテネータ回路１９をＡＧＣ回路として用いるには、最初にＡＧＣ切り替え回路１５からの信号が入力されるＡＧＣ制御信号入力端子２０に、ＡＧＣ制御信号であるＡＧＣ電圧ｖ１を印加する。今、ＡＧＣ制御信号入力端子２０に、ＡＧＣ回路であるＰＩＮアッテネータ回路１９による信号の減衰量が最小となる、即ち最大利得となるようなＡＧＣ電圧ｖ１、即ち最大ＡＧＣ電圧を印加すると、電流は高域遮断用コイルＬ１を介し、ダイオードＤ１、抵抗Ｒ３の経路にて流れる。ここで接点Ａの電圧ｖ２は、電源端子２１に印加される電源電圧ｖｄを抵抗Ｒ１及び抵抗Ｒ２にて分圧した電圧であり、最大ＡＧＣ電圧を印加した場合の接点Ｂの電圧ｖ３よりも低い電圧に設定しておく。
【００６４】
従って、最大ＡＧＣ電圧が印加されている状態においては、ダイオードＤ２及びダイオードＤ３が接点Ｂの電圧ｖ３にて逆バイアスされ、これらのダイオードに電流が流れないので、ＰＩＮアッテネータ回路１９の入出力特性、即ちＡＧＣ回路入力端子２２から入力されＡＧＣ回路出力端子２３から出力される信号の減衰特性は、ダイオードＤ１における高周波抵抗による減衰量にのみ依存する。
【００６５】
次にＡＧＣ電圧ｖ１を下げていくと、ダイオードＤ１を流れる電流は減り、ダイオードＤ１における高周波抵抗が大きくなることにより、ダイオードＤ１における高周波抵抗による減衰量は大きくなり、利得は低下する。また、ＡＧＣ電圧ｖ１を下げることにより接点Ｂにおける電圧ｖ３が下がり、ｖ２＞ｖ３となるとダイオードＤ２及びＤ３は順バイアスとなるので電流が流れるようになり、ダイオードＤ１を流れる電流がさらに減少するので減衰量がさらに大きくなり、利得はさらに低下する。電圧ｖ３が下がるほどダイオードＤ２及びダイオードＤ３を流れる電流は増えるので、ダイオードＤ１を流れる電流が減少して減衰量が大きくなり、利得が低下する。
【００６６】
以上のように、ＡＧＣ回路として用いられるＰＩＮアッテネータ回路１９は、ＡＧＣ電圧ｖ１が最大ＡＧＣ電圧である時に最大利得であり、ＡＧＣ電圧ｖ１を下げることにより利得が低下するようなＡＧＣ特性が得られる。
【００６７】
図６は本実施形態において図１のＡＧＣ回路６に用いられるＡＧＣ回路２４の回路図である。広帯域増幅回路５からＡＧＣ回路２４のＡＧＣ回路入力端子２５に入力された信号は、ＡＧＣ回路２４のＡＧＣ回路出力端子２７からミキサ回路７に出力される。
【００６８】
ＡＧＣ回路２４は、デュアルゲートＦＥＴであるＱ１を備えて構成されるデュアルゲートＦＥＴ回路であり、ＡＧＣ回路入力端子２５から入力された信号は、ＡＧＣ回路出力端子２７から出力される。バイアス電圧入力端子２８にはバイアス電源が接続され、デュアルゲートＦＥＴであるＱ１を駆動するために必要なバイアス電圧が印加される。ＡＧＣ切り替え回路１５からの信号が入力されるＡＧＣ制御信号入力端子２６から抵抗Ｒ４を介してゲートＧ２に加えるＡＧＣ制御信号となるＡＧＣ電圧を増加させると利得は上がり、逆に前記ＡＧＣ電圧を下げると利得が下がる特性を有している。
【００６９】
ＡＧＣ回路２４が有する抵抗については、抵抗Ｒ５の一端はデュアルゲートＦＥＴＱ１のゲートＧ１に接続され、抵抗Ｒ５の他端はバイアス電圧入力端子２８に接続されている。抵抗Ｒ６の一端はデュアルゲートＦＥＴＱ１のゲートＧ１に接続され、抵抗Ｒ６の他端はＧＮＤに接続されている。抵抗Ｒ７の一端はデュアルゲートＦＥＴＱ１のソースＳに接続され、抵抗Ｒ７の他端はＧＮＤに接続されている。
【００７０】
ＡＧＣ回路２４が有するコンデンサについては、コンデンサＣ５の一端はＡＧＣ回路入力端子２５に接続され、コンデンサＣ５の他端はデュアルゲートＦＥＴＱ１のゲートＧ１に接続されている。コンデンサＣ６の一端はデュアルゲートＦＥＴＱ１のゲートＧ２に接続され、コンデンサＣ６の他端はＧＮＤに接続されている。コンデンサＣ７の一端はデュアルゲートＦＥＴＱ１のソースＳに接続され、コンデンサＣ７の他端はＧＮＤに接続されている。コンデンサＣ８の一端はバイアス電圧入力端子２８に接続され、コンデンサＣ８の他端はＧＮＤに接続されている。コンデンサＣ９の一端はデュアルゲートＦＥＴＱ１のドレインＤに接続され、コンデンサＣ９の他端はＡＧＣ回路出力端子２７に接続されている。
【００７１】
ＡＧＣ回路２４が有する高域遮断用コイルについては、高域遮断用コイルＬ２の一端はデュアルゲートＦＥＴＱ１のドレインＤに接続され、高域遮断用コイルＬ２の他端はバイアス電圧入力端子２８に接続されている。
【００７２】
従って、ＡＧＣ回路４をＰＩＮアッテネータ回路１９とし、ＡＧＣ回路６をＡＧＣ回路２４とすると、ＣＡＴＶ放送受信時にはＡＧＣ回路４を動作させることにより、広帯域増幅回路５により増幅されるＲＦ信号が歪むこと無く優れた歪み特性や優れたインピーダンス整合性を得ることができる。また、地上波ＴＶ放送受信時にはＡＧＣ回路６を動作させることにより、ＡＧＣ回路４及び広帯域増幅回路５を通過後の信号に含まれる雑音を低減できるので、チューナの受信性能が劣化することなく低雑音で広いＡＧＣ制御範囲を得ることができる。
【００７３】
図７に本発明の地上波ＴＶ及びＣＡＴＶ共用受信機によるＣＡＴＶ放送受信時の相互変調妨害特性を示した周波数スペクトラム示す。４４．５ＭＨｚの周波数帯域に発生する相互変調妨害成分が図１１に示す従来の受信機で受信した場合と比べて改善されていることが分かる。
【００７４】
以上のように、本発明の地上波ＴＶ及びＣＡＴＶ共用受信機は、多チャンネルのＲＦ信号を入力するＲＦ信号入力端子２と、ＲＦ信号入力端子２の後段に配置された、第１の利得制御信号により利得を固定あるいは制御するＡＧＣ回路４と、ＡＧＣ回路４の後段に配置された広帯域増幅回路５と、広帯域増幅回路５の後段に配置された、第２の利得制御信号により利得を固定あるいは制御するＡＧＣ回路６と、ＡＧＣ回路６から出力された信号から希望するチャンネルの信号を選択して取り出すミキサ回路７と、ＡＧＣ回路４の利得を固定するかあるいは制御するかを選択し、同時にＡＧＣ回路６の利得を固定するかあるいは制御するかを選択することにより、ＡＧＣ回路４及びＡＧＣ回路６を制御するＡＧＣ切り替え回路１５とを備えることを特徴とする。
【００７５】
前記発明によれば、受信信号がＣＡＴＶ放送の場合と地上波ＴＶ放送の場合とで、広帯域増幅回路５前段のＡＧＣ回路４と広帯域増幅回路５後段のＡＧＣ回路６とのいずれか一方のＡＧＣ回路を固定利得状態に固定し、もう一方のＡＧＣ回路にて利得制御を行う構成としている。
【００７６】
このような構成にすると、ＣＡＴＶ放送受信においては優れた歪み特性を有し、地上波ＴＶ放送受信時においては低雑音特性を有する、ノイズやビートの少ない良好な受信性能を持つ、優れた地上波ＴＶ及びＣＡＴＶ共用受信機が実現できる。
【００７７】
前記地上波ＴＶ及びＣＡＴＶ共用受信機では、ＡＧＣ回路４とＡＧＣ回路６の内のいずれか一方のＡＧＣ回路の利得を固定し、もう一方のＡＧＣ回路の利得を制御してもよい。
【００７８】
これにより、地上波ＴＶ放送受信時はＡＧＣ回路４の利得を固定し、ＡＧＣ回路６の利得を制御することにより、地上波ＴＶ及びＣＡＴＶ共用受信機全体としての雑音指数を低下できるので、雑音特性を良くすることが出来る。また、ＣＡＴＶ放送受信時はＡＧＣ回路６の利得を固定し、ＡＧＣ回路４の利得を制御することにより、広帯域増幅回路５の出力信号が歪む事を防ぐので、歪み特性を良くすることが出来る。
【００７９】
前記地上波ＴＶ及びＣＡＴＶ共用受信機では、前記多チャンネルのＲＦ信号がケーブルにて送信されるＣＡＴＶ放送信号と、前記多チャンネルのＲＦ信号が電波にて送信される地上波ＴＶ放送信号の２種類の放送信号を受信してもよい。
【００８０】
これにより、１台の受信機でＣＡＴＶ放送信号及び地上波ＴＶ放送信号の両方が受信可能となる。
【００８１】
前記地上波ＴＶ及びＣＡＴＶ共用受信機では、前記ＣＡＴＶ放送信号を受信する場合、ＡＧＣ回路６の利得を固定とし、ＡＧＣ回路４の利得を制御してもよい。
【００８２】
これにより、広帯域増幅回路５の出力信号が歪みを小さくし、歪み特性を良くすることが出来る。
【００８３】
前記地上波ＴＶ及びＣＡＴＶ共用受信機では、前記地上波ＴＶ放送信号を受信する場合、ＡＧＣ回路４の利得を固定とし、ＡＧＣ回路６の利得を制御してもよい。
【００８４】
これにより、地上波ＴＶ及びＣＡＴＶ共用受信機全体としての雑音指数を低下できるので、雑音特性を良くすることが出来る。
【００８５】
前記地上波ＴＶ及びＣＡＴＶ共用受信機では、固定されたＡＧＣ回路４の利得または固定されたＡＧＣ回路６の利得は、入力される信号の減衰量が最小となる利得である最大利得であってもよい。
【００８６】
これにより、信号の減衰を極力防ぐことが出来るので、雑音の影響を最小限に抑えることが出来る。
【００８７】
前記地上波ＴＶ及びＣＡＴＶ共用受信機では、ミキサ回路７による前記希望するチャンネルの信号の選択及び取り出しはデジタルデータを用いて行われ、前記デジタルデータを伝送するデータバス１８を設けた地上波ＴＶ及びＣＡＴＶ共用受信機において、ＡＧＣ回路４の利得を固定するかあるいは制御するかを選択し、同時にＡＧＣ回路６の利得を固定するかあるいは制御するかを選択することを、データバス１８を介して伝送されるデジタルデータにて制御してもよい。
【００８８】
これにより、機械的なスイッチを設ける必要がなくなり、ＡＧＣ回路４及びＡＧＣ回路６を電気的に制御することが出来る。
【００８９】
前記地上波ＴＶ及びＣＡＴＶ共用受信機では、前記伝送されるデジタルデータは、ＡＧＣ回路４の利得を第１の固定利得に固定させるデジタルデータと、ＡＧＣ回路６の利得を第２の固定利得に固定させるデジタルデータとを含んでもよい。
【００９０】
これにより、ＡＧＣ回路４とＡＧＣ回路６との利得を制御するデジタルデータが等しく、ＡＧＣ回路６の利得が高すぎることにより、前記地上波ＴＶ及びＣＡＴＶ共用受信機全体の利得が高すぎて増幅信号に歪みが生じる場合に、ＡＧＣ回路４とＡＧＣ回路６との利得を異なる固定利得に固定させ、ＡＧＣ回路６の利得を、第１の固定利得より低い第２の固定利得に固定させることにより、増幅信号の歪みを小さく出来る。
【００９１】
前記地上波ＴＶ及びＣＡＴＶ共用受信機では、ＡＧＣ回路４は、順方向電流Ｉｆを可変することにより高周波抵抗ｒｄが変化する特性を有するダイオードＤ１〜Ｄ３と、前記第１の利得制御信号が入力されることによりダイオードＤ１〜Ｄ３に流す電流を制御するＡＧＣ制御信号入力端子２０とを有し、前記第１の利得制御信号である、ＡＧＣ制御信号入力端子２０に印加する電圧を変化させることにより、直列に接続されたダイオードＤ１〜Ｄ３の高周波抵抗ｒｄを変化させ、利得を変化させるＰＩＮアッテネータ回路１９で構成されてもよい。
【００９２】
これにより、ＡＧＣ回路４は、ＡＧＣ制御信号入力端子２０に印加する電圧が、信号の減衰量が最小となるような電圧である時にＡＧＣ回路４の利得が最大となり、ＡＧＣ制御信号入力端子２０に印加する電圧を下げるときに利得が低下するような特性が得られる。
【００９３】
前記地上波ＴＶ及びＣＡＴＶ共用受信機では、ＡＧＣ回路６は、デュアルゲートＦＥＴＱ１とＡＧＣ制御信号入力端子２６とを備え、デュアルゲートＦＥＴＱ１のゲートＧ１は抵抗Ｒ６を介して接地され、ＡＧＣ制御信号入力端子２６から抵抗Ｒ４を介してデュアルゲートＦＥＴＱ１のゲートＧ２に入力する前記第２の利得制御信号である制御信号電圧の制御にて利得を変化させるデュアルゲートＦＥＴ回路で構成されてもよい。
【００９４】
これにより、ＡＧＣ回路６は、ＡＧＣ制御信号入力端子２６に印加する電圧を増加させると利得は上がり、逆にＡＧＣ制御信号入力端子２６に印加する電圧を下げると利得が下がる特性が得られる。
【産業上の利用可能性】
【００９５】
本発明の地上波ＴＶ及びＣＡＴＶ共用受信機は、特に優れた歪み特性が要求されるＣＡＴＶ放送受信機能と広い入力ダイナミックレンジが要求される地上波ＴＶ放送受信機能とを１つのチューナにて共用し、ＣＡＴＶ放送信号または地上波ＴＶ放送信号の受信時に、ＲＦ信号の歪みまたは受信性能の劣化が起こらないので、地上波ＴＶ放送及びＣＡＴＶ放送を受信可能なＴＶに好適に利用される。
【図面の簡単な説明】
【００９６】
【図１】広帯域多チャンネル信号受信機におけるチューナ部のブロック図である。
【図２】本発明における制御データの例を示す図である。
【図３】本発明の広帯域多チャンネル信号受信機の各動作状態に対応するスイッチ切り替え制御データの設定例を示す図である。
【図４】ＰＩＮアッテネータ回路の回路図である。
【図５】ＰＩＮダイオードの特性を示すグラフである。
【図６】本発明のＡＧＣ回路の回路図である。
【図７】本発明の地上波ＴＶ及びＣＡＴＶ共用受信機によるＣＡＴＶ放送受信時の相互変調妨害特性を示した周波数スペクトラムである。
【図８】増幅回路の入力信号レベル対出力信号レベルの特性の例を表したグラフである。
【図９】従来の一般的な地上波ＴＶ放送受信用チューナのブロック図である。
【図１０】ＣＡＴＶ放送受信機能を有し、かつ更なる低雑音性能が要求される、従来の地上波デジタルＴＶ放送受信用チューナのブロック図である。
【図１１】従来の受信機によるＣＡＴＶ放送受信時の相互変調妨害特性を示した周波数スペクトラムである。
【符号の説明】
【００９７】
１  チューナ部
２  ＲＦ信号入力端子
３、８  バンドパスフィルタ
４、６  ＡＧＣ回路（第１の利得制御手段、第２の利得制御手段）
５  広帯域増幅回路（ＲＦ信号増幅器）
７  ミキサ回路（選局回路）
９  増幅器
１０  チューナ出力端子
１１  ＡＧＣ検波回路
１２  局部発振回路
１３  ＰＬＬ回路
１４  マイクロコンピュータ
１５  ＡＧＣ切り替え回路（制御手段）
１６  利得固定信号生成回路
１７  デコーダ
１８  データバス（制御バスライン）
１９  ＰＩＮアッテネータ回路
２０、２６  ＡＧＣ制御信号入力端子（第１の電流制御端子、第２の電流制御端子）
２１  電源端子
２２、２５  ＡＧＣ回路入力端子
２３、２７  ＡＧＣ回路出力端子
２４  ＡＧＣ回路
２８  バイアス電圧入力端子
Ａ、Ｂ  接点
Ｃ１〜Ｃ９  コンデンサ
Ｄ  ドレイン
Ｄ１〜Ｄ３  ダイオード
Ｄ０〜Ｄｎ  ＰＬＬ周波数設定データ
Ｇ１、Ｇ２  ゲート
Ｉｆ  順方向電流
Ｌ１、Ｌ２  高域遮断用コイル
ＮＦtotal  雑音指数
Ｑ１  デュアルゲートＦＥＴ
Ｒ１〜Ｒ７  抵抗
Ｓ  ソース
ＳＷ０、ＳＷ１  スイッチ
ＳＷ０、ＳＷ１  スイッチ切り替え制御データ
ｒｄ  高周波抵抗
ｖ１  ＡＧＣ電圧
ｖ２、ｖ３  電圧
ｖｄ  電源電圧
【図１】
2009027463.tif 000003
【図２】
2009027463.tif 000004
【図３】
2009027463.tif 000005
【図４】
2009027463.tif 000006
【図５】
2009027463.tif 000007
【図６】
2009027463.tif 000008
【図７】
2009027463.tif 000009
【図８】
2009027463.tif 000010
【図９】
2009027463.tif 000011
【図１０】
2009027463.tif 000012
【図１１】
2009027463.tif 000013